【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、複数種類の入賞について発生を許容するか否かを決定する事前決定手段と、
遊技者にとって有利な有利状態に移行させるか否かを決定する有利状態決定手段と、
遊技者が表示結果を導出させるために操作する導出操作手段と、
前記導出操作手段が操作されたときに、予め定められた引込範囲内の表示結果を導出する制御を行う導出制御手段と、
を備え、
前記事前決定手段は、同一ゲームにおける決定対象として第１の決定、第２の決定を行うことが可能であり、
前記有利状態決定手段は、前記事前決定手段により前記第１の決定がなされかつ前記有利状態に移行させる旨を決定しない第１の確率と前記事前決定手段により前記第１の決定がなされかつ前記有利状態に移行させる旨を決定する第２の確率の合算確率に占める前記第２の確率の比率、前記事前決定手段により前記第２の決定がなされかつ前記有利状態に移行させる旨を決定しない第３の確率と前記事前決定手段により前記第２の決定がなされかつ前記有利状態に移行させる旨を決定する第４の確率の合算確率に占める前記第４の確率の比率のうち一方が他方の比率よりも高くなる確率で前記有利状態に移行させるか否かを決定し、
前記導出制御手段は、
前記第１の決定がなされたときに、前記複数の可変表示部に跨る複数のラインのうち第１のラインに特定の組合せを構成する識別情報が停止する第１の表示結果及び前記複数のラインのうち第２のラインに前記特定の組合せを構成する識別情報が停止する第２の表示結果のうち前記第１の表示結果のみ前記引込範囲内で導出可能な場合に前記第１の表示結果を導出する制御を行い、前記第１の表示結果及び前記第２の表示結果の双方を前記引込範囲内で導出可能な場合に前記第１の表示結果を導出する制御を行い、前記第１の表示結果及び前記第２の表示結果のうち前記第２の表示結果のみ前記引込範囲内で導出可能な場合に前記第２の表示結果を導出する制御を行い、
前記第２の決定がなされたときに、前記第１の表示結果及び前記第２の表示結果のうち前記第１の表示結果のみ前記引込範囲内で導出可能な場合に前記第１の表示結果を導出する制御を行い、前記第１の表示結果及び前記第２の表示結果の双方を前記引込範囲内で導出可能な場合に前記第２の表示結果を導出する制御を行い、前記第１の表示結果及び前記第２の表示結果のうち前記第２の表示結果のみ前記引込範囲内で導出可能な場合に前記第２の表示結果を導出する制御を行い、
前記事前決定手段は、前記第１の決定を第１の決定確率で決定し、前記第２の決定を第２の決定確率で決定する
ことを特徴とするスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、複数種類の入賞について発生を許容するか否かを決定する事前決定手段と、
遊技者にとって有利な有利状態に移行させるか否かを決定する有利状態決定手段と、
遊技者が表示結果を導出させるために操作する導出操作手段と、
前記導出操作手段が操作されたときに、予め定められた引込範囲内の表示結果を導出する制御を行う導出制御手段と、
を備え、
前記事前決定手段は、同一ゲームにおける決定対象として第１の決定、第２の決定を行うことが可能であり、
前記有利状態決定手段は、前記事前決定手段により前記第１の決定がなされかつ前記有利状態に移行させる旨を決定しない第１の確率と前記事前決定手段により前記第１の決定がなされかつ前記有利状態に移行させる旨を決定する第２の確率の合算確率に占める前記第２の確率の比率、前記事前決定手段により前記第２の決定がなされかつ前記有利状態に移行させる旨を決定しない第３の確率と前記事前決定手段により前記第２の決定がなされかつ前記有利状態に移行させる旨を決定する第４の確率の合算確率に占める前記第４の確率の比率のうち一方が他方の比率よりも高くなる確率で前記有利状態に移行させるか否かを決定し、
前記導出制御手段は、
前記第１の決定がなされたときに、前記複数の可変表示部に跨る複数のラインのうち第１のラインに特定の組合せを構成する識別情報が停止する第１の表示結果及び前記複数のラインのうち第２のラインに前記特定の組合せを構成する識別情報が停止する第２の表示結果のうち前記第１の表示結果のみ前記引込範囲内で導出可能な場合に前記第１の表示結果を導出する制御を行い、前記第１の表示結果及び前記第２の表示結果の双方を前記引込範囲内で導出可能な場合に前記第１の表示結果を導出する制御を行い、前記第１の表示結果及び前記第２の表示結果のうち前記第２の表示結果のみ前記引込範囲内で導出可能な場合に前記第２の表示結果を導出する制御を行い、
前記第２の決定がなされたときに、前記第１の表示結果及び前記第２の表示結果のうち前記第１の表示結果のみ前記引込範囲内で導出可能な場合に前記第１の表示結果を導出する制御を行い、前記第１の表示結果及び前記第２の表示結果の双方を前記引込範囲内で導出可能な場合に前記第２の表示結果を導出する制御を行い、前記第１の表示結果及び前記第２の表示結果のうち前記第２の表示結果のみ前記引込範囲内で導出可能な場合に前記第２の表示結果を導出する制御を行い、
前記事前決定手段は、前記第１の決定を第１の決定確率で決定し、前記第２の決定を第２の決定確率で決定する
ことを特徴としている。
本発明の手段１に記載のスロットマシンは、
各々が識別可能な複数種類の図柄を周期的に移動させることにより変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、前記複数の可変表示領域に導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
前記特別入賞のうちの第１の特別入賞が発生したときに第１の特別遊技状態に制御するとともに、前記第１の特別入賞とは異なる第２の特別入賞が発生したときに前記第１の特別遊技状態と有利度の異なる第２の特別遊技状態に制御する特別遊技状態制御手段と、
を備え、
前記事前決定手段は、
同一ゲームにおける決定対象として、前記一般入賞のうち第１の一般入賞の発生を許容する旨及び前記第１の特別入賞の発生を許容する旨を同時に決定する第１の特別決定、前記第１の一般入賞の発生を許容する旨、前記第１の一般入賞と異なる第２の一般入賞の発生を許容する旨及び前記第１の特別入賞の発生を許容する旨を同時に決定する第２の特別決定、前記第１の一般入賞の発生を許容する旨及び前記第２の特別入賞の発生を許容する旨を同時に決定する第３の特別決定、前記第１の一般入賞の発生を許容する旨、前記第２の一般入賞の発生を許容する旨及び前記第２の特別入賞の発生を許容する旨を同時に決定する第４の特別決定を行うことが可能であり、
同一ゲームにおいて前記第１の特別決定がなされる確率と前記第３の特別決定がなされる確率との合算確率に占める前記第３の特別決定がなされる確率の比率、同一ゲームにおいて前記第２の特別決定がなされる確率と前記第４の特別決定がなされる確率との合算確率に占める前記第４の特別決定がなされる確率の比率のうち一方が他方の比率よりも高くなる確率で前記第１〜４の特別決定を行い、
前記導出制御手段は、
前記第１の特別決定または前記第３の特別決定がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の特別決定または前記第４の特別決定がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴としている。
【手続補正３】
【補正対象書類名】明細書
【補正対象項目名】０００９
【補正方法】変更
【補正の内容】
【０００９】
本発明の手段２に記載のスロットマシンは、
各々が識別可能な複数種類の図柄を周期的に移動させることにより変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、前記複数の可変表示領域に導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
前記特別入賞のうちの第１の特別入賞が発生したときに第１の特別遊技状態に制御するとともに、前記第１の特別入賞とは異なる第２の特別入賞が発生したときに前記第１の特別遊技状態と有利度の異なる第２の特別遊技状態に制御する特別遊技状態制御手段と、
を備え、
前記事前決定手段は、
同一ゲームにおける決定対象として、前記一般入賞のうち第１の一般入賞の発生を許容する旨及び前記第１の特別入賞の発生を許容する旨を同時に決定する第１の特別決定、前記第１の一般入賞の発生を許容する旨、前記第１の一般入賞と異なる第２の一般入賞の発生を許容する旨及び前記第１の特別入賞の発生を許容する旨を同時に決定する第２の特別決定、前記第１の一般入賞の発生を許容する旨及び前記第２の特別入賞の発生を許容する旨を同時に決定する第３の特別決定、前記第１の一般入賞の発生を許容する旨、前記第２の一般入賞の発生を許容する旨及び前記第２の特別入賞の発生を許容する旨を同時に決定する第４の特別決定を行うことが可能であり、
同一ゲームにおいて前記第１の特別決定がなされる確率と前記第４の特別決定がなされる確率との合算確率に占める前記第４の特別決定がなされる確率の比率、同一ゲームにおいて前記第２の特別決定がなされる確率と前記第３の特別決定がなされる確率との合算確率に占める前記第３の特別決定がなされる確率の比率のうち一方が他方の比率よりも高くなる確率で前記第１〜４の特別決定を行い、
前記導出制御手段は、
前記第１の特別決定または前記第４の特別決定がなされた第１の条件が成立したときに、前記導出操作手段が操作され、該導出操作手段に対応する可変表示領域において前記予め定められた引込範囲内に前記複数の可変表示領域に跨って設定された複数のラインのうち第１のラインに特定の図柄組み合わせの構成図柄が停止する第１の表示位置及び前記複数のラインのうち第２のラインに前記特定の図柄組み合わせの構成図柄が停止する第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第１の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行い、
前記第２の特別決定または前記第３の特別決定がなされた第２の条件が成立したときに、前記導出操作手段が操作され、該導出操作手段に対応する可変表示領域において前記予め定められた引込範囲内に前記第１の表示位置及び前記第２の表示位置のうち前記第１の表示位置のみ位置する場合に前記第１の表示位置を導出させる制御を行い、該導出操作手段に対応する可変表示領域において前記予め定められた引込範囲内に前記第１の表示位置及び前記第２の表示位置の双方が位置する場合に前記第２の表示位置を導出させる制御を行い、該導出操作手段に対応する可変表示領域において前記予め定められた引込範囲内に前記第１の表示位置及び前記第２の表示位置のうち前記第２の表示位置のみ位置する場合に前記第２の表示位置を導出させる制御を行う
ことを特徴としている。
【手続補正４】
【補正対象書類名】明細書
【補正対象項目名】００１０
【補正方法】変更
【補正の内容】
【００１０】
本発明の手段３に記載のスロットマシンは、
各々が識別可能な複数種類の図柄を変動表示可能な複数の可変表示領域（リール２Ｌ、２Ｃ、２Ｒの表示領域）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに表示結果が導出表示されたことにより１ゲームが終了し、前記複数の可変表示領域に導出表示された表示結果として複数の入賞ライン（入賞ラインＬ１〜Ｌ５）のうちいずれかの入賞ライン上に導出表示された図柄の組み合わせに応じて入賞が発生可能とされたスロットマシン（スロットマシン１）であって、
少なくともいずれかの可変表示領域に表示結果が導出される前に、遊技者にとって有利な特別遊技状態（ＢＢ）への移行を伴う特別入賞（ＢＢ（１）〜（４））及び該特別入賞以外の一般入賞（小役、再遊技役）を含む複数種類の入賞について発生を許容するか否かを決定する事前決定手段（内部抽選）と、
前記特別入賞（ＢＢ（１）〜（４））のうちの第１の特別入賞（ＢＢ（１））が発生したときに第１の特別遊技状態（ＢＢ（１））に制御するとともに、前記第１の特別入賞（ＢＢ（１））とは異なる第２の特別入賞（ＢＢ（２））が発生したときに前記第１の特別遊技状態（ＢＢ（１））と有利度の異なる第２の特別遊技状態（ＢＢ（２））に制御する特別遊技状態制御手段と、
前記一般入賞（小役、再遊技役）のうちの特定一般入賞（スイカ）の発生を許容する旨が決定されていることに応じて、前記複数の可変表示領域の表示結果として前記複数の入賞ライン（入賞ラインＬ１〜Ｌ５）のうちの第１の入賞ライン（入賞ラインＬ１、Ｌ２、Ｌ３）上または第２の入賞ライン（入賞ラインＬ４、Ｌ５）上に特定一般入賞を発生させるための図柄の組み合わせ（スイカ−スイカ−スイカ）を導出させる制御を行う導出制御手段と、
を備え、
前記事前決定手段は、
前記特定一般入賞の発生を許容する旨及び前記第１の特別入賞の発生を許容する旨を同時に決定する第１の特別決定（ＢＢ（１）＋スイカ）、前記特定一般入賞の発生を許容する旨、前記特定一般入賞と異なる特別一般入賞の発生を許容する旨及び前記第１の特別入賞の発生を許容する旨を同時に決定する第２の特別決定（ＢＢ（１）＋スイカ＋１枚）、前記特定一般入賞の発生を許容する旨及び前記第２の特別入賞の発生を許容する旨を同時に決定する第３の特別決定（ＢＢ（２）＋スイカ）、前記特定一般入賞の発生を許容する旨、前記特別一般入賞の発生を許容する旨及び前記第２の特別入賞の発生を許容する旨を同時に決定する第４の特別決定（ＢＢ（２）＋スイカ＋１枚）を行うことが可能であり、
前記第１の特別決定（ＢＢ（１）＋スイカ）がなされる確率と前記第３の特別決定（ＢＢ（２）＋スイカ）がなされる確率との合算確率に占める前記第３の特別決定（ＢＢ（２）＋スイカ）がなされる確率の比率と、前記第２の特別決定（ＢＢ（１）＋スイカ＋１枚）がなされる確率と前記第４の特別決定（ＢＢ（２）＋スイカ＋１枚）がなされる確率との合算確率に占める前記第４の特別決定（ＢＢ（２）＋スイカ＋１枚）がなされる確率の比率と、が異なる確率で前記第１〜４の特別決定を行い、
前記導出制御手段は、
前記第１の特別決定（ＢＢ（１）＋スイカ）または前記第３の特別決定（ＢＢ（２）＋スイカ）がなされた第１の条件が成立したときに、前記第１の入賞ライン（入賞ラインＬ１、Ｌ２、Ｌ３）に、前記第２の入賞ライン（入賞ラインＬ４、Ｌ５）よりも高い割合で前記特定一般入賞を発生させるための図柄の組み合わせ（スイカ−スイカ−スイカ）を導出させる制御を行い、
前記第２の特別決定（ＢＢ（１）＋スイカ＋１枚）または前記第４の特別決定（ＢＢ（２）＋スイカ＋１枚）がなされた第２の条件が成立したときに、前記第２の入賞ライン（入賞ラインＬ４、Ｌ５）に、前記第１の入賞ライン（入賞ラインＬ１、Ｌ２、Ｌ３）よりも高い割合で前記特定一般入賞を発生させるための図柄の組み合わせ（スイカ−スイカ−スイカ）を導出させる制御を行う
ことを特徴としている。
この特徴によれば、第１の特別決定または第３の特別決定がなされている場合には、第１の入賞ラインに特定一般入賞を発生させるための図柄の組み合わせが導出される可能性が高く、第２の特別決定または第４の特別決定がなされている場合には、第２の入賞ラインに特定一般入賞を発生させるための図柄の組み合わせが導出される可能性が高い。すなわち第１の特別決定または第３の特別決定がなされている場合に特定一般入賞が発生した場合と、第２の特別決定または第４の特別決定がなされている場合に特定一般入賞が発生した場合と、で特定一般入賞を発生させるための図柄の組み合わせが導出されやすい入賞ラインが異なる。
そして、第１の特別決定がなされる確率と第３の特別決定がなされる確率との合算確率に占める第３の特別決定がなされる確率の比率と、第２の特別決定がなされる確率と第４の特別決定がなされる確率との合算確率に占める第４の特別決定がなされる確率の比率と、が異なり、第１の入賞ラインに特定一般入賞を発生させるための図柄の組み合わせが導出された場合と、第２の入賞ラインに特定一般入賞を発生させるための図柄の組み合わせが導出された場合と、で第１の特別入賞または第２の特別入賞のいずれかが許容されている場合に、第１の特別入賞の発生が許容されている比率と第２の特別入賞の発生が許容されている比率と、が異なるため、特定一般入賞が発生した際に、その後移行する特別遊技状態の有利度の異なる第１の特別入賞及び第２の特別入賞のどちらが許容されているかについての期待度を変化させることができる。さらに、特定一般入賞を発生させるための図柄の組み合わせが導出された入賞ラインから第１の特別入賞の発生が許容されているのか、第２の特別入賞の発生が許容されているのか、を判別することは不可能であり、特定一般入賞を発生させるための図柄の組み合わせがいずれの入賞ラインに導出された場合でも、第１の特別入賞及び第２の特別入賞のうちより有利度の高い特別入賞の発生が許容されていることに対する遊技者の期待感が損なわれてしまうことがない。
【手続補正５】
【補正対象書類名】明細書
【補正対象項目名】００１１
【補正方法】変更
【補正の内容】
【００１１】
本発明の手段４に記載のスロットマシンは、
各々が識別可能な複数種類の図柄を変動表示可能な複数の可変表示領域（リール２Ｌ、２Ｃ、２Ｒの表示領域）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに表示結果が導出表示されたことにより１ゲームが終了し、前記複数の可変表示領域に導出表示された表示結果として複数の入賞ライン（入賞ラインＬ１〜Ｌ５）のうちいずれかの入賞ライン上に導出表示された図柄の組み合わせに応じて入賞が発生可能とされたスロットマシン（スロットマシン１）であって、
少なくともいずれかの可変表示領域に表示結果が導出される前に、遊技者にとって有利な特別遊技状態（ＢＢ）への移行を伴う特別入賞（ＢＢ（１）〜（４））及び該特別入賞以外の一般入賞（小役、再遊技役）を含む複数種類の入賞について発生を許容するか否かを決定する事前決定手段（内部抽選）と、
前記特別入賞（ＢＢ（１）〜（４））のうちの第１の特別入賞（ＢＢ（１））が発生したときに第１の特別遊技状態（ＢＢ（１））に制御するとともに、前記第１の特別入賞（ＢＢ（１））とは異なる第２の特別入賞（ＢＢ（２））が発生したときに前記第１の特別遊技状態（ＢＢ（１））と有利度の異なる第２の特別遊技状態（ＢＢ（２））に制御する特別遊技状態制御手段と、
前記一般入賞（小役、再遊技役）のうちの特定一般入賞（スイカ）の発生を許容する旨が決定されていることに応じて、前記複数の可変表示領域の表示結果として前記複数の入賞ライン（入賞ラインＬ１〜Ｌ５）のうちの第１の入賞ライン（入賞ラインＬ１、Ｌ２、Ｌ３）上または第２の入賞ライン（入賞ラインＬ４、Ｌ５）上に特定一般入賞を発生させるための図柄の組み合わせ（スイカ−スイカ−スイカ）を導出させる制御を行う導出制御手段と、
を備え、
前記事前決定手段は、
前記特定一般入賞の発生を許容する旨及び前記第１の特別入賞の発生を許容する旨を同時に決定する第１の特別決定（ＢＢ（１）＋スイカ）、前記特定一般入賞の発生を許容する旨、前記特定一般入賞と異なる特別一般入賞の発生を許容する旨及び前記第１の特別入賞の発生を許容する旨を同時に決定する第２の特別決定（ＢＢ（１）＋スイカ＋１枚）、前記特定一般入賞の発生を許容する旨及び前記第２の特別入賞の発生を許容する旨を同時に決定する第３の特別決定（ＢＢ（２）＋スイカ）、前記特定一般入賞の発生を許容する旨、前記特別一般入賞の発生を許容する旨及び前記第２の特別入賞の発生を許容する旨を同時に決定する第４の特別決定（ＢＢ（２）＋スイカ＋１枚）を行うことが可能であり、
前記第１の特別決定（ＢＢ（１）＋スイカ）がなされる確率と前記第４の特別決定（ＢＢ（２）＋スイカ＋１枚）がなされる確率との合算確率に占める前記第４の特別決定（ＢＢ（２）＋スイカ＋１枚）がなされる確率の比率と、前記第２の特別決定（ＢＢ（１）＋スイカ＋１枚）がなされる確率と前記第３の特別決定（ＢＢ（２）＋スイカ）がなされる確率との合算確率に占める前記第３の特別決定（ＢＢ（２）＋スイカ）がなされる確率の比率と、が異なる確率で前記第１〜４の特別決定を行い、
前記導出制御手段は、
前記第１の特別決定（ＢＢ（１）＋スイカ）または前記第４の特別決定（ＢＢ（２）＋スイカ＋１枚）がなされた第１の条件が成立したときに、前記第１の入賞ライン（入賞ラインＬ１、Ｌ２、Ｌ３）に、前記第２の入賞ライン（入賞ラインＬ４、Ｌ５）よりも高い割合で前記特定一般入賞を発生させるための図柄の組み合わせ（スイカ−スイカ−スイカ）を導出させる制御を行い、
前記第２の特別決定（ＢＢ（１）＋スイカ＋スイカ）または前記第３の特別決定（ＢＢ（２）＋スイカ）がなされた第２の条件が成立したときに、前記第２の入賞ライン（入賞ラインＬ４、Ｌ５）に、前記第１の入賞ライン（入賞ラインＬ１、Ｌ２、Ｌ３）よりも高い割合で前記特定一般入賞を発生させるための図柄の組み合わせ（スイカ−スイカ−スイカ）を導出させる制御を行う
ことを特徴としている。
この特徴によれば、第１の特別決定または第４の特別決定がなされている場合には、第１の入賞ラインに特定一般入賞を発生させるための図柄の組み合わせが導出される可能性が高く、第２の特別決定または第３の特別決定がなされている場合には、第２の入賞ラインに特定一般入賞を発生させるための図柄の組み合わせが導出される可能性が高い。すなわち第１の特別決定または第４の特別決定がなされている場合に特定一般入賞が発生した場合と、第２の特別決定または第３の特別決定がなされている場合に特定一般入賞が発生した場合と、で特定一般入賞を発生させるための図柄の組み合わせが導出されやすい入賞ラインが異なる。
そして、第１の特別決定がなされる確率と第４の特別決定がなされる確率との合算確率に占める第４の特別決定がなされる確率の比率と、第２の特別決定がなされる確率と第３の特別決定がなされる確率との合算確率に占める第３の特別決定がなされる確率の比率と、が異なり、第１の入賞ラインに特定一般入賞を発生させるための図柄の組み合わせが導出された場合と、第２の入賞ラインに特定一般入賞を発生させるための図柄の組み合わせが導出された場合と、で第１の特別入賞または第２の特別入賞のいずれかが許容されている場合に、第１の特別入賞の発生が許容されている比率と第２の特別入賞の発生が許容されている比率と、が異なるため、特定一般入賞が発生した際に、その後移行する特別遊技状態の有利度の異なる第１の特別入賞及び第２の特別入賞のどちらが許容されているかについての期待度を変化させることができる。さらに、特定一般入賞を発生させるための図柄の組み合わせが導出された入賞ラインから第１の特別入賞の発生が許容されているのか、第２の特別入賞の発生が許容されているのか、を判別することは不可能であり、特定一般入賞を発生させるための図柄の組み合わせがいずれの入賞ラインに導出された場合でも、第１の特別入賞及び第２の特別入賞のうちより有利度の高い特別入賞の発生が許容されていることに対する遊技者の期待感が損なわれてしまうことがない。
【手続補正６】
【補正対象書類名】明細書
【補正対象項目名】００１２
【補正方法】変更
【補正の内容】
【００１２】
尚、手段３、４において所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、手段３、４において第１の入賞ラインに、第２の入賞ラインよりも高い割合で前記特定一般入賞を発生させるための図柄の組み合わせを導出させる制御とは、第１の入賞ラインに１００％の割合で前記特定一般入賞を発生させるための図柄の組み合わせを導出させる制御を含む。また、第２の入賞ラインに、第１の入賞ラインよりも高い割合で前記特定一般入賞を発生させるための図柄の組み合わせを導出させる制御とは、第２の入賞ラインに１００％の割合で前記特定一般入賞を発生させるための図柄の組み合わせを導出させる制御を含む。
また、手段３、４において特定一般入賞を発生させるための図柄の組み合わせを構成する図柄は同種の図柄であっても良いし、異なる図柄であっても良い。すなわち特定一般入賞を発生させるための図柄の組み合わせは、同種の図柄同士の組み合わせであっても良いし、異なる図柄を含んでいても良い。
また、手段３、４において前記第１の特別遊技状態と有利度の異なる第２の特別遊技状態とは、特別遊技状態において獲得が期待できる遊技用価値の量が第１の特別遊技状態と異なる特別遊技状態であり、また、第２の特別遊技状態は、第１の特別遊技状態よりも有利度の高い特別遊技状態であっても良いし、第１の特別遊技状態よりも有利度の低い特別遊技状態であっても良い。
【手続補正７】
【補正対象書類名】明細書
【補正対象項目名】００１３
【補正方法】変更
【補正の内容】
【００１３】
本発明の手段５に記載のスロットマシンは、手段３または４に記載のスロットマシンであって、
前記事前決定手段（内部抽選）の決定結果に応じて複数種類の演出（第１の小役告知演出、第２の小役告知演出）からいずれかの種類の演出（小役告知演出）を選択する演出種類選択手段と、
前記演出種類選択手段にて選択された種類の演出（小役告知演出）を実行する演出実行手段と、
を備え、
前記演出種類選択手段は、前記第１の条件が成立しているときと、前記第２の条件が成立しているときと、で異なる選択比率にて前記演出の種類（小役告知演出）を選択する
ことを特徴としている。
この特徴によれば、特定一般入賞を発生させるための図柄の組み合わせが第１の入賞ラインに導出されやすいのか、第２の入賞ラインに導出されやすいのか、に応じて、演出の選択比率が異なり、特定一般入賞を発生させるための図柄の組み合わせが導出された入賞ラインにより示唆される第１の特別入賞、第２の特別入賞のうちどちらの特別入賞が許容されているかの可能性と、演出の種類と、がリンクするため、これら可変表示装置の表示態様と演出によって第１の特別入賞及び第２の特別入賞のうちより有利度の高い特別入賞の発生が許容されていることに対する遊技者の期待感を相乗的に高めることができる。
【手続補正８】
【補正対象書類名】明細書
【補正対象項目名】００１４
【補正方法】変更
【補正の内容】
【００１４】
本発明の手段６に記載のスロットマシンは、手段３〜５のいずれかに記載のスロットマシンであって、
前記事前決定手段（内部抽選）の決定結果に応じて複数の異なるタイミング（ゲーム開始時、第１停止時、第２停止時、第３停止時）からいずれかのタイミングを演出開始タイミングとして選択する演出開始タイミング選択手段と、
前記演出開始タイミング選択手段にて選択されたタイミングで演出（小役告知演出）を開始させる演出開始手段と、
を備え、
前記演出開始タイミング選択手段は、前記第１の条件が成立しているときと、前記第２の条件が成立しているときと、で異なる選択比率にて前記演出開始タイミングを選択する
ことを特徴としている。
この特徴によれば、特定一般入賞を発生させるための図柄の組み合わせが第１の入賞ラインに導出されやすいのか、第２の入賞ラインに導出されやすいのか、に応じて、演出の開始タイミングの選択比率が異なり、特定一般入賞を発生させるための図柄の組み合わせが導出された入賞ラインにより示唆される第１の特別入賞、第２の特別入賞のうちどちらの特別入賞が許容されているかの可能性と、演出の開始タイミングと、がリンクするため、これら可変表示装置の表示態様と演出の開始タイミングによって第１の特別入賞及び第２の特別入賞のうちより有利度の高い特別入賞の発生が許容されていることに対する遊技者の期待感を相乗的に高めることができる。
【手続補正９】
【補正対象書類名】明細書
【補正対象項目名】００１５
【補正方法】変更
【補正の内容】
【００１５】
本発明の手段７に記載のスロットマシンは、手段３〜６のいずれかに記載のスロットマシンであって、
前記事前決定手段（内部抽選）は、前記特定一般入賞の発生を許容する旨を単独で決定する第１の一般決定（スイカ）、及び前記特定一般入賞の発生を許容する旨及び前記特定一般入賞と異なる特別一般入賞の発生を許容する旨を同時に決定する第２の一般決定（スイカ＋１枚）を行うことが可能であり、
前記スロットマシンは、
前記第１、２の一般決定、前記第１〜４の特別決定のいずれかがなされたときに、２以上の所定ゲーム数（５ゲーム）にわたる演出内容（演出パターンの組み合わせ）を決定する連続演出内容決定手段と、
前記第１、２の一般決定、前記第１〜４の決定のいずれかがなされた後、前記所定ゲーム数（５ゲーム）にわたり前記連続演出内容決定手段にて決定された演出内容（演出パターン）に基づく連続演出を実行する連続演出実行手段と、
前記連続演出が開始した後、前記所定ゲーム数（５ゲーム）に到達する前に新たに特定一般入賞（スイカを含む役）の発生を許容する旨が決定されたときに残りの演出内容（演出パターン）を変更する演出内容変更手段と、
を備える
ことを特徴としている。
この特徴によれば、特別入賞の発生を許容する旨が同時に決定される可能性のある特定一般入賞の発生を許容する旨が決定されたことを契機に開始する連続演出、すなわち特別入賞の発生が許容されている可能性を示す連続演出の終了前に、さらに特定一般入賞の発生を許容する旨が決定されたとき、すなわち特別入賞の発生が許容されている可能性がさらに高まる事象が生じた場合には、それに併せて連続演出の演出内容も変化するため、連続演出中に生じた事象に応じて特別入賞の発生に対する遊技者の期待感を効果的に高めることができる。
【手続補正１０】
【補正対象書類名】明細書
【補正対象項目名】００１６
【補正方法】変更
【補正の内容】
【００１６】
本発明の手段８に記載のスロットマシンは、手段３〜７のいずれかに記載のスロットマシンであって、
ゲームの制御を行う遊技制御手段（メイン制御部４１）を搭載した遊技制御基板（遊技制御基板４０）と、
ゲームの進行に関わる信号を出力する第１の電子部品と遊技の進行に関わる信号が入力される第２の電子部品とのうち少なくとも一方を含む遊技用電子部品（投入メダルセンサ３１）と、
コネクタ（基板側コネクタ６２０ａとケーブル側コネクタ６１０ａ／基板側コネクタ６２１ａとケーブル側コネクタ６１１ａ／基板側コネクタ６２２ｇとケーブル側コネクタ６１２ｇ）同士での接続により着脱可能に前記遊技用電子部品（投入メダルセンサ３１）と前記遊技制御基板（遊技制御基板４０）との間に設けられ、前記遊技用電子部品（投入メダルセンサ３１）と前記遊技制御基板（遊技制御基板４０）とを電気的に接続するための配線（ケーブル６００ａ、６０１ｇ）と、
前記配線とコネクタ（基板側コネクタ６２１ａとケーブル側コネクタ６１１ａ／基板側コネクタ６２２ｇとケーブル側コネクタ６１２ｇ）同士で接続され、前記遊技用電子部品（投入メダルセンサ３１）と前記遊技制御基板（遊技制御基板４０）との間での信号の入出力を中継する中継基板（操作部中継基板１１０）と、
前記遊技用電子部品（投入メダルセンサ３１）と前記遊技制御基板（遊技制御基板４０）との間における前記配線上のコネクタ同士での接続を、該コネクタ同士での接続に関わる解除規制部位を破壊しない限り、解除不能とする接続解除規制状態を形成する電子部品接続解除規制手段（コネクタ規制部材）と、
を備え、
前記電子部品接続解除規制手段は、
前記遊技制御基板（遊技制御基板４０）と前記中継基板（操作部中継基板１１０）との間における前記配線（ケーブル６００ａ）のコネクタ（基板側コネクタ６２０ａとケーブル側コネクタ６１０ａ／基板側コネクタ６２１ａとケーブル側コネクタ６１１ａ）同士での接続を解除不能とする第１の電子部品接続解除規制手段（コネクタ規制部材）と、
前記中継基板（操作部中継基板１１０）と前記遊技用電子部品（投入メダルセンサ３１）との間における前記配線（ケーブル６０１ｇ）のコネクタ（基板側コネクタ６２２ｇとケーブル側コネクタ６１２ｇ）同士での接続を解除不能とする第２の電子部品接続解除規制手段（コネクタ規制部材）と、
を含む
ことを特徴としている。
この特徴によれば、遊技制御基板と中継基板との間における配線のコネクタだけでなく、中継基板と遊技用電子部品との間における配線のコネクタ同士での接続の解除が規制されることで、遊技用電子部品と遊技制御基板との間に設けられる配線の全てのコネクタ同士での接続の解除が規制される。これによりいずれかのコネクタを不正な打ち込み器具等のコネクタに差し替えて接続し、遊技制御基板に遊技の進行に関わる不正な信号を入出力させるといった不正行為を行うことが困難となるため、特別入賞が当選した状態に設定したスロットマシン、特に入賞ラインの違いによって有利度の異なる複数種類の特別入賞を判別できる場合には、有利度の高い特別入賞が当選した状態に設定したスロットマシンを、例えば遊技店の営業開始時等において遊技客に提供するといった不正営業の実施等を効果的に防止できる。
また、電子部品接続解除規制手段により接続解除規制状態が形成されることで、コネクタ同士での接続を解除するためには解除規制部位を破壊しなければならず、これにより接続を解除した後に再度接続解除規制状態を形成することが極めて困難となり、かつ、手間がかかるため、上記不正行為をより効果的に抑制することができる。
尚、前記中継基板は、一の遊技用電子部品と遊技制御基板との間に１つ、または複数接続されていても良く、複数の中継基板が接続される場合において、前記電子部品接続解除規制手段は、一の中継基板と他の中継基板との間における前記配線のコネクタ同士での接続を解除不能とする第３の電子部品接続解除規制手段を備えることが好ましく、このようにすることで、遊技用電子部品と遊技制御基板との間に設けられる配線の全てのコネクタ同士での接続の解除が規制される。